(57)【要約】    【課題】  二番還元物が揺動選別棚上に片寄り、選別効率が低いという課題。    【構成】  上部に扱胴５を軸装した脱穀室６を設け、脱穀室６の扱網１０の下方に、送風唐箕１１からの送風により風選する風選室１３を設け、該風選室１３内に往復揺動する揺動選別棚１４により構成した揺動選別装置１５を設け、揺動選別棚１４の下方には一番コンベア２１および二番コンベア２２を設け、前記脱穀室６の側部には、前記二番コンベア２２の終端に接続した二番物戻し装置３１により回収供給された二番物を処理する二番処理装置３０を設け、該二番処理装置３０の二番還元口３５は、前記揺動選別棚１４の始端部上方に位置させ、前記二番還元口３５の下方には揺動選別棚１４の幅方向に二番物を拡散させる拡散装置４０を設けた脱穀装置。【選択図】    図１
2006296272.tif 000002
【特許請求の範囲】
【請求項１】
上部に扱胴５を軸装した脱穀室６を設け、脱穀室６の扱網１０の下方に、送風唐箕１１からの送風により風選する風選室１３を設け、該風選室１３内に往復揺動する揺動選別棚１４により構成した揺動選別装置１５を設け、揺動選別棚１４の下方には一番コンベア２１および二番コンベア２２を設け、前記脱穀室６の側部には、前記二番コンベア２２の終端に接続した二番物戻し装置３１により回収供給された二番物を処理する二番処理装置３０を設け、該二番処理装置３０の二番還元口３５は、前記揺動選別棚１４の始端部上方に位置させ、前記二番還元口３５の下方には揺動選別棚１４の幅方向に二番物を拡散させる拡散装置４０を設けた脱穀装置。
【請求項２】
請求項１において、前記拡散装置４０は、前記二番還元口３５から排出される二番物を回収する受樋４１の上面に二番物を搬送する搬送螺旋４２を設けて構成し、前記受樋４１は前記揺動選別棚１４の上面と扱網１０との間に位置させた脱穀装置。
【請求項３】
請求項１または請求項２において、前記拡散装置４０は、揺動選別棚１４の始端部上方位置に位置させた脱穀装置。
【発明の詳細な説明】
【技術分野】
【０００１】
本発明は、脱穀装置に係るものである。
【背景技術】
【０００２】
従来、上部に扱胴を軸装した脱穀室を設け、脱穀室の扱網の下方に、送風唐箕からの送風により風選する風選室を設け、該風選室に往復揺動する揺動選別棚により構成した揺動選別装置を設け、揺動選別棚の下方には一番コンベアおよび二番コンベアを設け、前記脱穀室の側部には、前記二番コンベアの終端に接続した二番物戻し装置により回収供給された二番物を処理する二番処理装置を設けた構成は、公知である（特許文献１）
【特許文献１】特開平９−１９１７５５号公報
【発明の開示】
【発明が解決しようとする課題】
【０００３】
前記公知例は、揺動選別棚の一方側に二番処理装置からの二番物を還元させるため、揺動選別棚の他方側が有効利用されず、揺動選別棚の能力が十分に発揮できないという課題がある。
本願は、二番処理装置から排出される二番物の還元させる構成を工夫し、揺動選別棚の選別性能を十分に発揮させるようにしたものである。
【課題を解決するための手段】
【０００４】
本発明は、上部に扱胴５を軸装した脱穀室６を設け、脱穀室６の扱網１０の下方に、送風唐箕１１からの送風により風選する風選室１３を設け、該風選室１３内に往復揺動する揺動選別棚１４により構成した揺動選別装置１５を設け、揺動選別棚１４の下方には一番コンベア２１および二番コンベア２２を設け、前記脱穀室６の側部には、前記二番コンベア２２の終端に接続した二番物戻し装置３１により回収供給された二番物を処理する二番処理装置３０を設け、該二番処理装置３０の二番還元口３５は、前記揺動選別棚１４の始端部上方に位置させ、前記二番還元口３５の下方には揺動選別棚１４の幅方向に二番物を拡散させる拡散装置４０を設けた脱穀装置としたものであり、穀稈供給搬送装置７により搬送された穀稈は脱穀室６内に供給され、回転する扱胴５により脱穀され、脱穀された脱穀物（被処理物）は扱網１０から下方の揺動選別棚１４に落下し、揺動選別棚１４の揺動と送風唐箕１１の送風により選別され、穀粒は一番コンベア２１から回収される。
揺動選別棚１４により選別されて一番コンベア２１に回収されないものは二番還元物として二番コンベア２２に回収され、二番コンベア２２により回収された二番還元物は二番処理装置３０に戻されて再処理され、二番処理装置３０の終端の二番還元口３５から拡散装置４０に排出され、拡散装置４０に排出された二番物は揺動選別棚１４上に拡散して落下する。
本発明は、前記拡散装置４０は、前記二番還元口３５から排出される二番物を回収する受樋４１の上面に二番物を搬送する搬送螺旋４２を設けて構成し、前記受樋４１は前記揺動選別棚１４の上面と扱網１０との間に位置させた脱穀装置としたものであり、二番処理装置３０の終端の二番還元口３５から拡散装置４０に排出された二番物は、受樋４１内を搬送螺旋４２により搬送されながら、揺動選別棚１４上に拡散して落下する。
本発明は、前記拡散装置４０は、揺動選別棚１４の始端部上方位置に位置させた脱穀装置としたものであり、受樋４１内を搬送螺旋４２により搬送された二番物は、揺動選別棚１４の始端部上方位置に拡散して落下し、揺動選別棚１４の揺動と送風唐箕１１の送風により再選別され、穀粒は一番コンベア２１から回収される。
【発明の効果】
【０００５】
請求項１の発明では、二番コンベア２２に回収された二番物を拡散装置４０により拡散させて揺動選別棚１４上に落下させることができ、揺動選別棚１４上の層厚が均一に近くなり、揺動選別棚１４の全幅を有効利用して選別が行え、選別性能を十分に発揮させることができる。
請求項２の発明では、二番物を搬送しながら揺動選別棚１４上に拡散させるので、確実に二番物を拡散させることができる。
請求項３の発明では、二番物を揺動選別棚１４の始端部に拡散させるので、揺動選別棚１４の全幅を有効利用して選別が行え、選別性能を十分に発揮させることができる。
【実施例１】
【０００６】
本発明の実施例を図面により説明すると、１は脱穀装置である。実施例は、コンバインの脱穀装置であり、図示は省略するが脱穀装置１の下方に走行装置を設け、脱穀装置１の前方には刈取部を設けている。
前記脱穀装置１は、上部に扱胴５を軸装した脱穀室６を設け、脱穀室６の一側には前記刈取部により刈り取った穀稈を供給搬送する穀稈供給搬送装置７の供給搬送チエン８を設けている。なお、理解を容易にするため、便宜的に方向を示して以下説明するが、これにより構成が限定されるものではない。
【０００７】
扱胴５の主として下方側は扱網１０により包囲している。扱網１０の下方には送風唐箕１１の唐箕ケーシング１２を設ける。前記脱穀室６の下方には前記送風唐箕１１の送風により穀粒と異物とを風選し得る風選室１３を形成し、風選室１３内には、送風唐箕１１の送風方向（前後方向）に往復揺動する揺動選別棚１４により構成した揺動選別装置１５を設ける。
揺動選別装置１５は、その揺動選別棚１４の始端部（前端部）を唐箕ケーシング１２の上方に位置させて移送棚部１６に形成する。移送棚部１６の構成は任意であり、移送方向下手側を低く傾斜させたり、あるいは、移送棚部１６の上面に突起や凹凸を設けて揺動選別装置１５の移送方向下手側のグレンシーブ１７に扱網１０からの落下物を移送できればよい。
【０００８】
前記グレンシーブ１７の移送方向の前後中間位置には中間フィン体１８を設ける。中間フィン体１８は、扱網１０より落下しない処理物を脱穀室６から排出する排出口１９の下方から移送方向の下手側に位置させる。前記中間フィン体１８の上面はギザギザ状に凹凸を形成し、排出口１９からの落下物を位相方向下手側に移送する作用と、落下物の塊をほぐして揺動選別棚１４上に落下させる作用を期待する。
グレンシーブ１７の移送方向の下手側（後側）の揺動選別棚１４にはストローラック２０を設け、揺動選別棚１４の下方には一番コンベア２１を設け、一番コンベア２１の後側には二番コンベア２２を設ける。
【０００９】
しかして、前記脱穀室６の終端には排塵処理装置２３を設ける。排塵処理装置２３は、前記扱胴５と軸心が平行方向な排塵処理胴２４を設け、排塵処理胴２４の外周には処理歯２８を設け、排塵処理胴２４の主として下方側は処理網２５により包囲して排塵処理室２６を形成し、排塵処理室２６は、その始端部を平面視前記脱穀室６の終端部と重合させ、連通口２７により連通させる。
前記排塵処理胴２４の前側には二番処理装置３０を設ける。二番処理装置３０は、前記二番コンベア２２の終端に接続した二番物戻し装置３１により回収供給された二番物を処理するものであり、二番処理胴３２の主として下方側を処理網３３により包囲して二番処理室３４を形成して構成する。
【００１０】
前記二番処理胴３２は、排塵処理胴２４と同軸状に配置する。
この場合、排塵処理胴２４は扱胴５と同方向回転として処理物を後側に移送し、二番処理胴３２は扱胴５と逆方向回転として処理物を前側に移送するように構成している。
二番処理室３４の終端には二番還元口３５を設け、二番還元口３５は側面視において揺動選別棚１４の始端部（前端部）の上方に位置させる。二番処理室３４の終端には、揺動選別棚１４の幅方向に二番物を拡散させる拡散装置（二番拡散装置）４０を設ける。
【００１１】
即ち、平面視、二番処理装置３０は脱穀室６の側部に位置しているため、二番処理装置３０の二番還元口３５は揺動選別棚１４の一側上方に開口することになって選別対象物が揺動選別棚１４の一側に集中し、選別精度および効率が低くなるが、拡散装置４０により揺動選別棚１４の幅方向に二番物を拡散させるので、揺動選別棚１４の選別能力を向上させる。
実施例では、前記二番還元口３５の下方に受樋４１の始端部を設け、受樋４１上に搬送螺旋４２を設け、受樋４１の終端を扱胴５の下方の所定位置に臨ませる。４３は搬送螺旋４２に回転を入力する入力プーリであり、エンジンの回転を入力させて駆動回転させる。
【００１２】
前記拡散装置４０は、その受樋４１を揺動選別棚１４の上面と扱網１０との間に位置させる。
【００１３】
また、拡散装置４０は、揺動選別棚１４の始端部上方位置に位置させる。拡散装置４０により揺動選別棚１４の幅方向に搬送して拡散させるので、拡散層厚を均一にでき、揺動選別棚１４の選別能力を向上させる。実施例では、拡散装置４０の受樋４１を揺動選別棚１４の移送棚部１６上に位置させ、グレンシーブ１７に至るまでに被処理物を拡散するようにしている。
【００１４】
しかして、前記拡散装置４０は、受樋４１の始端部は二番処理装置３０の二番還元口３５の下方に位置させるが、二番還元口３５は受樋４１の前後幅よりも大きく開口させる（図５）。
したがって、二番処理装置３０からの二番物の一部は揺動選別棚１４上に落下させ、その余の二番物は受樋４１に落下させて拡散装置４０により搬送し、搬送中に揺動選別棚１４に落下させて二番物を拡散させる。
【００１５】
即ち、二番物戻し装置３１と二番処理装置３０による二番物の還元量が少ない場合は、揺動選別棚１４の始端部に供給して処理を行い、還元量が多い場合は、その全てが二番還元口３５から揺動選別棚１４に落下せずに二番処理装置３０の移送方向の前側の拡散装置４０の受樋４１に向けて押されて落下し、拡散装置４０による搬送中に揺動選別棚１４に落下させて二番物を拡散させる。
【００１６】
また、図６は、拡散装置４０の他の実施例であり、二番処理装置３０からの二番物の全量を搬送螺旋４２により搬送し、搬送中に揺動選別棚１４上に落下させて拡散させるように構成する。
したがって、二番処理装置３０からの二番物は、全て一旦受樋４１内に回収し、搬送中に揺動選別棚１４上に落下させて拡散させる。
即ち、拡散装置４０は、揺動選別棚１４の移送方向後側の受樋４１の後縁４５にはガイド板４６を連設し、ガイド板４６は後側に至るに従い高く傾斜させ、ガイド板４６の後縁は処理網３３の前縁と接続して二番還元口３５からの二番物の全量を受け止めるように構成し、受け止めた二番物を搬送螺旋４２により確実に反二番還元口３５側に搬送し、搬送中に二番物を揺動選別棚１４上に落下させて、二番物を確実に拡散させる。
【００１７】
しかして、図７の前記拡散装置４０は、受樋４１を揺動選別棚１４の全幅に亘って設ける。
即ち、二番処理装置３０からの二番物の全量を、二番処理装置３０と反対側の穀稈供給搬送装置７側へ向けて搬送螺旋４２により搬送し、搬送中に揺動選別棚１４上に落下させて拡散させるように構成する。
したがって、二番物は揺動選別棚１４の全幅に亘って拡散させることができ、揺動選別棚１４の選別能力を向上させる。
この場合、拡散装置４０の受樋４１は、二番処理装置３０からの二番物の全量を受けいる構成、あるいは、前記のように、二番還元口３５の前後幅より相対的に小さくして二番処理装置３０からの二番物の一部を受け入れる構成の何れでもよい。
【００１８】
しかして、拡散装置４０の受樋４１を揺動選別棚１４の全幅に亘って設けた場合、搬送中に二番物を揺動選別棚１４上に落下させる構成は任意であるが、一例を示すと、受樋４１の底部に均一排出可能な開口部４８を形成する（図９、図１０）。実施例の開口部４８は二番還元口３５側が大きく開口し、反二番還元口３５側に至るに従い小さい開口面積に形成している（図１１）。
【００１９】
また、図１２、図１３のように、揺動選別棚１４の選別対象物の移送方向後側の、受樋４１のガイド板４６は、正面視において二番還元口３５側を高く反二番還元口３５側に至るに従い低くなるように、ガイド板４６の上面を傾斜させて形成すると、一層、二番物の均等拡散を確実にできて、好適である。
この場合、側面視において、搬送螺旋４２の回転方向は、搬送螺旋４２の回転上昇側（図６において反時計回転方向）がガイド板４６となるように構成すると、開口部４８からの落下のみならず、ガイド板４６を乗り越えさせて二番物を拡散させることが期待でき、一層、二番物の均等拡散を向上させて、好適である。
【００２０】
しかして、図１４の前記拡散装置４０は、搬送螺旋４２を受樋４１の左右両側から受樋４１の略中央に向けて搬送するように構成する。
即ち、拡散装置４０は、一方は二番処理装置３０からの二番物を中央に搬送しながら揺動選別棚１４に拡散させ、他方は穀稈供給搬送装置７側の脱穀室６の扱網１０からの落下物を中央に搬送しながら揺動選別棚１４に拡散させるように構成する。
したがって、搬送螺旋４２は、一方側搬送螺旋４２Ａと他方側搬送螺旋４２Ｂとにより構成し、一方側搬送螺旋４２Ａと他方側搬送螺旋４２Ｂは互いに逆送りとなり、しかも、側面視揺動選別棚１４の搬送方向の後側（ガイド板４６側）が搬送螺旋４２の回転上昇側となるように構成する。
【００２１】
拡散装置４０は、穀稈供給搬送装置７側からは扱網１０より濾過した穀粒を受樋４１に回収し、二番処理装置３０側からは二番還元口３５より還元した二番物を受樋４１に回収し、夫々回収物を受樋４１の略中央に向けて移送しながら揺動選別棚１４上に拡散させるので、揺動選別棚１４の選別能力を向上させる。
【００２２】
この拡散装置４０の搬送螺旋４２を、一方側搬送螺旋４２Ａと他方側搬送螺旋４２Ｂとにより構成したものにおいて、受樋４１のガイド板４６は、受樋４１の長さ方向（揺動選別棚１４の幅方向）の両側が高く中央に至るに従い低くなるように、ガイド板４６の上面を傾斜させて形成すると（図１６）、一層、二番物および脱穀物の均等拡散を確実にできて、好適である。
【００２３】
また、ガイド板４６の受樋４１の長さ方向（揺動選別棚１４の幅方向）の両側を、扱網１０の左右両側の下面形状に合わせて高く形成すると（図１７）、扱網１０からの落下物を受樋４１に一旦回収してから一方側搬送螺旋４２Ａと他方側搬送螺旋４２Ｂとにより揺動選別棚１４の中央部分に移送しながら揺動選別棚１４の幅方向に拡散させられ、揺動選別棚１４の選別能力を向上させる。
【００２４】
この場合、受樋４１の前側ガイド板４９も、ガイド板４６の受樋４１の長さ方向（揺動選別棚１４の幅方向）の両側を、扱網１０の左右両側の下面形状に合わせて高く形成してもよい（図１７、図１８）。
【００２５】
また、拡散装置４０の搬送螺旋４２を、一方側搬送螺旋４２Ａと他方側搬送螺旋４２Ｂとにより構成し、受樋４１を扱網１０の下方に位置させたものにおいて、扱網１０から濾過した穀粒を受樋４１に回収し、回収した脱穀物を揺動選別棚１４の幅方向の中央に向けて一方側搬送螺旋４２Ａと他方側搬送螺旋４２Ｂとにより搬送しながら揺動選別棚１４上に拡散させるようにすると（図１９）、揺動選別棚１４に対して脱穀物の均等拡散を確実にできて、好適である。
【００２６】
しかして、拡散装置４０は、受樋４１内の処理物（脱穀物および二番物を含む）を搬送螺旋４２により搬送するため（図２０）、搬送中にこの処理物は搬送螺旋４２により攪拌されて、排塵処理装置２３や二番処理装置３０と同様な処理が行え、選別性能が向上し、ロスを減少させる。
即ち、二番処理装置３０の二番還元口３５からの二番物では、拡散装置４０による搬送中に二番処理装置３０の二番処理胴３２と処理網３３と同様な処理作用を受け、二番処理装置３０の長さを延長したかのような作用効果が期待でき、また、扱網１０から落下した脱穀物にあっては藁屑と穀粒等の分離を促進させる作用効果が期待できる。
【００２７】
５０は吸引排塵ファン、５１は排藁搬送装置、５２はカッタ−、５３はグレンタンク、５４はエンジン、５５は無段変速装置、５６はミッションである。
なお、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【図面の簡単な説明】
【００２８】
【図１】脱穀装置の側面図。
【図２】脱穀装置の平面図。
【図３】脱穀装置の正面図。
【図４】扱胴、二番処理胴、揺動選別棚の斜視図。
【図５】二番処理装置の排出口と拡散装置との位置関係を示す側面図。
【図６】同他の実施例図。
【図７】拡散装置の他の実施例の平面図。
【図８】同斜視図。
【図９】同斜視図。
【図１０】拡散装置の受樋の断面図。
【図１１】受樋の平面図。
【図１２】受樋の他の実施例の斜視図。
【図１３】受樋の斜視図。
【図１４】拡散装置の他の実施例の平面図。
【図１５】同斜視図。
【図１６】同受樋部分の斜視図。
【図１７】拡散装置の他の実施例の側面図。
【図１８】他の実施例の正面図。
【図１９】他の実施例の正面図。
【図２０】他の実施例の正面図。
【符号の説明】
【００２９】
１…脱穀装置、５…扱胴、６…脱穀室、７…穀稈供給搬送装置、８…供給搬送チエン、１１…送風唐箕、１２…唐箕ケーシング、１３…風選室、１４…揺動選別棚、１５…揺動選別装置、１６…移送棚部、１７…グレンシーブ、１９…排出口、２１…一番コンベア、２２…二番コンベア、２３…排塵処理装置、２４…排塵処理胴、２５…処理網、２６…排塵処理室、２７…連通口、２８…処理歯、３０…二番処理装置、３１…二番物戻し装置、３２…二番処理胴、３３…処理網、３４…二番処理室、３５…二番還元口、４０…拡散装置、４１…受樋、４２…搬送螺旋、４６…ガイド板、４８…開口部、４９…前側ガイド板。
【図１】
2006296272.tif 000003
【図２】
2006296272.tif 000004
【図３】
2006296272.tif 000005
【図４】
2006296272.tif 000006
【図５】
2006296272.tif 000007
【図６】
2006296272.tif 000008
【図７】
2006296272.tif 000009
【図８】
2006296272.tif 000010
【図９】
2006296272.tif 000011
【図１０】
2006296272.tif 000012
【図１１】
2006296272.tif 000013
【図１２】
2006296272.tif 000014
【図１３】
2006296272.tif 000015
【図１４】
2006296272.tif 000016
【図１５】
2006296272.tif 000017
【図１６】
2006296272.tif 000018
【図１７】
2006296272.tif 000019
【図１８】
2006296272.tif 000020
【図１９】
2006296272.tif 000021
【図２０】
2006296272.tif 000022